(57)【要約】【課題】空間を節約でき且つスピーカーの音色に影響を与えないスピーカーボックスを提供すること。【解決手段】スピーカーボックスは複数の表面を有し、該複数の表面はスピーカーを収容するための収容空間を囲んで形成し、前記複数の表面の中の少なくとも一つの寸法変化を生じさせることができ、該変化によって前記収容空間の体積を変化させることを特徴とするスピーカーボックス。スピーカーボックスが作動しない時に、ユーザーは、スピーカーボックスを最も小さい体積の状態に調整し、スピーカーボックスが作動する時に、ユーザーは趣味によってスピーカーボックスを第一の低音状態又は第一の低音状態に調整することによって、ユーザーの趣味によって音色を調整し、空間を節約することができる。【選択図】図３Ａ
2007049702.tif 000002
【特許請求の範囲】
【請求項１】
複数の表面を有し、該複数の表面はスピーカーを収容するための収容空間を囲んで形成するスピーカーボックスであって、
前記複数の表面の中の少なくとも一つの寸法は変化をすることができ、該変化によって前記収容空間の体積を変化させることを特徴とするスピーカーボックス。
【請求項２】
前記スピーカーボックスは一つのボックスを有し、該ボックスの側壁は伸縮できる形状に形成されることを特徴とする、請求項１に記載のスピーカーボックス。
【請求項３】
前記スピーカーボックスは少なくとも二つのボックスを有し、一方のボックスは他のボックスに対して伸縮でき、該伸縮によって、前記収容空間の体積を変化させることを特徴とする、請求項１に記載のスピーカーボックス。
【請求項４】
前記スピーカーボックスは第一ボックス、第二ボックス及び第三ボックスを含み、該第三ボックスが前記第二ボックスに対して伸縮でき、該第二ボックスが前記第一ボックスに対して伸縮できるように構成されることを特徴とする、請求項３に記載のスピーカーボックス。
【発明の詳細な説明】
【技術分野】
【０００１】
本発明はスピーカーボックスに係り、特に低周波の音響効果を向上させることができるスピーカーボックスに関するものである。
【背景技術】
【０００２】
携帯電話、ＰＤＡ、ノート型コンピュータなどの電子機器の普及、及び電子技術の急速な発展につれ、携帯電話、ＰＤＡ、ノート型コンピュータなどの電子機器は、映画及び音響機能に注力している。音響を再現する方法は重要な課題となる。
【０００３】
一般に、前記電子機器が放送した音色はスピーカーを除き、該スピーカーを収容するスピーカーボックスに関する。従来の一種のスピーカーボックスは閉じたボックスに構成される。スピーカーを該スピーカーボックスに収容する際に、該スピーカーボックスは該スピーカーの前後方からの、他の音響の放射を防止できるような機能を有する。該スピーカーボックス内の空気が前記スピーカーの作動に対して一定程度抵抗し、該スピーカーボックスの共振周波数及び品質因子に影響を与えることを防止するために、該スピーカーボックスの体積寸法を増やさなければならない。
【０００４】
しかし、前記電子機器の軽薄化及び短少化の発展につれて、スピーカーボックスの寸法及び利用空間には限制があるようになった。体積が限制されるスピーカーボックスの音色、特に低音部分の音色が劣化し、音響のゆがみを生じる課題がある。
【発明の開示】
【発明が解決しようとする課題】
【０００５】
以上の問題点に鑑み、本発明は、空間を節約でき且つスピーカーの音色に影響を与えないスピーカーボックスを提供することを目的とする。
【課題を解決するための手段】
【０００６】
スピーカーボックスは複数の表面を有し、該複数の表面はスピーカーを収容するための収容空間を囲んで形成し、前記複数の表面の中の少なくとも一つの寸法は変化することができ、該変化によって前記収容空間の体積を変化させることを特徴とするスピーカーボックス。
【発明の効果】
【０００７】
スピーカーボックスが作動しない時に、ユーザーはスピーカーボックスを最も小さい体積の状態に調整し、スピーカーボックスが作動する時に、ユーザーは趣味によってスピーカーボックスを第一の低音状態又は第一の低音状態に調整することによって、ユーザーの趣味によって音色を調整し、かつ空間を節約することができる。
【発明を実施するための最良の形態】
【０００８】
以下、図面に基づいて、本発明の実施形態に係るスピーカーボックスに対して詳細に説明する。
【０００９】
図１Ａ乃至図３Ｂを参照すると、第一実施形態のスピーカーボックス１０は第一ボックス１２、第二ボックス１４及び第三ボックス１６を含む。スピーカーボックス１０において、第三ボックス１６が伸縮するように第二ボックス１４に収容され、第二ボックス１４が伸縮するように第一ボックス１２に収容されるように構成される。第一ボックス１２の外表面に開口を設ける。スピーカー（図示せず）は、第一ボックス１２の外表面の開口と正対するように、組付板１８によってスピーカーボックス１０の中に固定される。前記スピーカーの通音膜２０の振動によって、該スピーカーからの音響をユーザーに送信することができる。
【００１０】
スピーカーボックス１０の体積は変化し得る。図１Ａ及び図１Ｂを参照すると、第三ボックス１６が第二ボックス１４に収容され、第二ボックス１４が第一ボックス１２に収容され、スピーカーボックス１０の体積が第一ボックス１２の体積と略一致する時に、スピーカーボックス１０は最も小さい体積を有する状態にある。図２Ａ及び図２Ｂを参照すると、第三ボックス１６が第二ボックス１４に収容され、第二ボックス１４が第一ボックス１２から伸び、スピーカーボックス１０の体積が第一ボックス１２と第二ボックス１４との体積の総和と略一致し、即ち、前記最も小さい体積より第二ボックス１４の体積が増えるので、スピーカーの品質因子Ｑｔｃは前記最も小さい体積の状態より向上し、スピーカーの低音効果が強くなり、スピーカーボックス１０は第一の低音強化状態にある。図３Ａ及び図３Ｂを参照すると、第三ボックス１６が第二ボックス１４から伸び、第二ボックス１４が第一ボックス１２から伸び、スピーカーボックス１０の体積が第一ボックス１２と、第二ボックス１４と、第三ボックス１６との体積の総和と略一致し、即ち、前記第一の低音強化状態より第三ボックス１６の体積が増えるので、スピーカーの品質因子Ｑｔｃは前記第一の低音強化状態より向上し、スピーカーの低音効果が更に強くなり、スピーカーボックス１０は第二の低音強化状態にある。
【００１１】
図４Ａ乃至図６Ｂを参照すると、第二実施形態のスピーカーボックス１０´は第一ボックス１２´、第二ボックス１４´及び第三ボックス１６´を含む。スピーカーボックス１０´において、第三ボックス１６´が伸縮するように第二ボックス１４´に収容され、第二ボックス１４´が伸縮するように第一ボックス１２´に収容されるように構成される。第一ボックス１２´の外表面に開口が形成される。スピーカー（図示せず）は、第一ボックス１２´の外表面の開口と正対するように、スピーカーボックス１０の中に固定される。
【００１２】
スピーカーボックス１０´の体積は変化し得る。図１Ａ及び図１Ｂを参照すると、第三ボックス１６´が第二ボックス１４´に収容され、第二ボックス１４´が第一ボックス１２´に収容され、スピーカーボックス１０´の体積が第一ボックス１２´の体積と略一致する時に、スピーカーボックス１０´は最も小さい体積を有する状態にある。図２Ａ及び図２Ｂを参照すると、第三ボックス１６´が第二ボックス１４´に収容され、第二ボックス１４´が第一ボックス１２´から伸び、スピーカーボックス１０´の体積が第一ボックス１２´と第二ボックス１４´との体積の総和と略一致し、即ち、前記最も小さい体積より第二ボックス１４´の体積を増やすので、スピーカーの品質因子Ｑｔｃは前記最も小さい体積の状態より向上し、スピーカーの低音効果が強くなり、スピーカーボックス１０´は第一の低音強化状態にある。図３Ａ及び図３Ｂを参照すると、第三ボックス１６´が第二ボックス１４から伸び、第二ボックス１４´が第一ボックス１２´から伸び、スピーカーボックス１０´の体積が第一ボックス１２´と、第二ボックス１４´と、第三ボックス１６´との体積の総和と略一致し、即ち、前記第一の低音強化状態より第三ボックス１６´の体積を増やすので、スピーカーの品質因子Ｑｔｃは前記第一の低音強化状態より向上し、スピーカーの低音効果が更に強くなり、スピーカーボックス１０´は第二の低音強化状態にある。
【００１３】
上述の各実施形態において、スピーカーボックスは複数の表面を有し、該複数の表面は収容空間を囲んで形成し、スピーカーは該収容空間に収容され、隣接した一方のボックスが他方のボックスに対して伸縮することによって、前記収容空間の体積を変化させ、スピーカーボックスの品質因子Ｑｔｃを変化させることができる。こうすると、スピーカーボックスが作動しない時に、ユーザーはスピーカーボックスを最も小さい体積の状態に調整し、スピーカーボックスが作動する時に、ユーザーは趣味によってスピーカーボックスを第一の低音状態又は第一の低音状態に調整することによって、ユーザーの趣味によって音色を調整し、空間を節約することができる。勿論、スピーカーボックスは別に変形し得る、例えば、スピーカーボックスの側壁を伸縮するような面に形成され、この時に、スピーカーボックスは一つのボックスだけを有し、伸縮される側壁を調整して収容体積の変化を実現することができる。
【図面の簡単な説明】
【００１４】
【図１Ａ】本発明の第一実施状態によるスピーカーボックスの最も小さい体積の状態にある立体図である。
【図１Ｂ】図１Ｂのスピーカーボックスの側面図である。
【図２Ａ】本発明の第一実施状態によるスピーカーボックスの第一の低音状態にある立体図である。
【図２Ｂ】図２Ａのスピーカーボックスの側面図である。
【図３Ａ】本発明の第一実施状態によるスピーカーボックスの第二の低音状態にある立体図である。
【図３Ｂ】図３Ｂのスピーカーボックスの側面図である。
【図４Ａ】本発明の第二実施状態によるスピーカーボックスの最も小さい体積の状態にある立体図である。
【図４Ｂ】図４Ｂのスピーカーボックスの平面図である。
【図５Ａ】本発明の第二実施状態のスピーカーボックスの第一の低音状態にある立体図である。
【図５Ｂ】図５Ａのスピーカーボックスの平面図である。
【図６Ａ】本発明の第二実施状態のスピーカーボックスの第二の低音状態にある立体図である。
【図６Ｂ】図６Ａのスピーカーボックスの平面図である。
【符号の説明】
【００１５】
１０、１０´  スピーカーボックス
１２、１２´  第一ボックス
１４、１４´  第二ボックス
１６、１６´  第三ボックス
１８          組付け板
２０          通音膜
【図１Ａ】
2007049702.tif 000003
【図１Ｂ】
2007049702.tif 000004
【図２Ａ】
2007049702.tif 000005
【図２Ｂ】
2007049702.tif 000006
【図３Ａ】
2007049702.tif 000007
【図３Ｂ】
2007049702.tif 000008
【図４Ａ】
2007049702.tif 000009
【図４Ｂ】
2007049702.tif 000010
【図５Ａ】
2007049702.tif 000011
【図５Ｂ】
2007049702.tif 000012
【図６Ａ】
2007049702.tif 000013
【図６Ｂ】
2007049702.tif 000014